(57)【要約】      （修正有）【課題】交換可能なオス金型コアおよび交換可能なメス金型コアを備えるトリプレート射出成形用金型の提供。【解決手段】オス金型コア２および支持板８をその空間内に交換自在に組み合せるための受取り空間１１を有する可動ダイプレート１と、射出圧力を支える接触域を形成するために支持板と可動側ダイプレートの間の接合部にそれぞれ接する隔てた２つのブロックを有する可動側取付板３とを有している。また、メス金型コア５および交換可能な鋳造チャネル金型コア７をその空間内に交換自在に組み合せるための受取り空間４１を有する固定側ダイプレート４も有している。鋳造チャネル金型コアはその中に、位置ずれを変更できる代替鋳造チャネル７２を有しており、それにより、金型に注入される熱い溶融プラスチックの射出点をメス金型コアのキャビティの形状に応じて変更することができる。【選択図】図２
0003137895.tif 000002
【実用新案登録請求の範囲】
【請求項１】
交換可能なオス金型コア２および交換可能なメス金型コア５を備えるトリプレート射出成形用金型であって：
一方の側にオス金型コア２を有し、他方の側に可動側ダイプレート１に固定して連結される可動側取付板３を有する可動側ダイプレート１と；
一方の側にメス金型コア５を有する固定側ダイプレート４と；
前記固定側ダイプレート４、前記可動側ダイプレート１、および前記固定側取付板６の中を延伸するように複数の支持レール６１を一方の側に備える固定側取付板６と；
前記固定側取付板６と前記固定側ダイプレート４の間に配置される鋳造チャネル金型開放板１０と；
からなるトリプレート射出成形用金型であって、
前記固定側ダイプレート４は中央に受取り空間を有し、前記受取り空間は２つの互いに向かい合う側に交換可能な鋳造チャネル金型コア７および前記メス金型コア５を備え；前記可動側ダイプレート１は中央に受取り空間を有し、前記受取り空間は２つの互いに向かい合う側に前記オス金型コア２および支持板８を備え、前記支持板８は外側において、互いに隣接する内側押出板８１および外側押出板８２と連結し；前記可動側取付板３は、上方支持スタブ３２および下方支持スタブ３３を中間に有する互いに平行に隔てられた２つのブロック３１を片側に備え、前記支持板８の互いに向かい合う２つの縁部（左縁部および右縁部）が前記隔てられたブロック３１にそれぞれ接するように、前記内側押出板８１および前記外側押出板８２は前記上方支持スタブ３２と下方支持スタブ３３の間に配置されることを特徴とする、トリプレート射出成形用金型。
【請求項２】
交換可能なオス金型コア２および交換可能なメス金型コア５を備えるトリプレート射出成形用金型において、前記支持板８が、複数のネジを用いて前記可動側ダイプレート１の前記受取り空間に組み合わされ、その中に完全に納められ、且つ前記支持板８が側面に、挿入ピンを挿入するための挿入穴を備えている、請求項１に記載のトリプレート射出成形用金型。
【請求項３】
交換可能なオス金型コア２および交換可能なメス金型コア５を備えるトリプレート射出成形用金型において、前記オス金型コア２が、複数のネジを用いて前記可動側ダイプレート１の前記受取り空間に組み合わされ、前記オス金型コア２が側面に、挿入ピンを挿入するための挿入穴を備えている、請求項１に記載のトリプレート射出成形用金型。
【請求項４】
交換可能なオス金型コア２および交換可能なメス金型コア５を備えるトリプレート射出成形用金型において、前記交換可能な鋳造チャネル金型コア７がその中に鋳造チャネルを備えており、前記交換可能な鋳造チャネル金型コア７が、複数のネジを用いて前記固定側ダイプレート４の前記受取り空間に組み合わされ、その中に完全に納められ、且つ前記交換可能な鋳造チャネル金型コア７が側面に、挿入ピンを挿入するための挿入穴を備えている、請求項１に記載のトリプレート射出成形用金型。
【請求項５】
交換可能なオス金型コア２および交換可能なメス金型コア５を備えるトリプレート射出成形用金型において、前記メス金型コア５が、複数のネジを用いて前記固定側ダイプレート４の前記受取り空間の中に完全に納められ、且つ前記メス金型コア５が側面に、挿入ピンを挿入するための挿入穴を備えている、請求項１に記載のトリプレート射出成形用金型。
【請求項６】
交換可能なオス金型コア２および交換可能なメス金型コア５を備えるトリプレート射出成形用金型において、射出圧力を支えるために前記支持板８の互いに向かい合う２つの縁部と前記隔てられた２つのブロック３１が、互いに接触する時に接触域Ａを形成するように、前記隔てた２つのブロック間の幅が前記支持板８の幅よりも狭くなっており、前記隔てられたブロック３１が、前記支持レール６１が貫通するための複数のスルーホールを備えている、請求項１に記載のトリプレート射出成形用金型。
【請求項７】
交換可能なオス金型コア２および交換可能なメス金型コア５を備えるトリプレート射出成形用金型において、前記接触域Ａによって支えられる前記射出圧力は、前記可動側ダイプレート１および前記固定側ダイプレート４の材料の硬度が２０ｋｇ／ｃｍ２〜２００ｋｇ／ｃｍ２の範囲内であることを要求する、請求項６に記載のトリプレート射出成形用金型。
【請求項８】
交換可能なオス金型コア２および交換可能なメス金型コア５を備えるトリプレート射出成形用金型において、前記鋳造チャネル金型開放板１０がその内側の縁部に、前記支持レール６１が貫通するための複数のスルーホールを備えている、請求項１に記載のトリプレート射出成形用金型。
【請求項９】
交換可能なオス金型コア２および交換可能なメス金型コア５を備えるトリプレート射出成形用金型において、前記固定側ダイプレート４が内側の縁部に、前記支持レール６１を通すための複数のスルーホールを備えており、前記固定側ダイプレート４が側面に、複数の水穴および温度感受性を有する挿入穴と、複数の挿入ピンを挿入するための複数の挿入穴とを備えている、請求項１に記載のトリプレート射出成形用金型。
【請求項１０】
交換可能なオス金型コア２および交換可能なメス金型コア５を備えるトリプレート射出成形用金型において、前記可動側ダイプレート１が内側の縁部に、前記支持レール６１が貫通するための複数のスルーホールを備えており、前記可動側ダイプレート１が側面に、複数の水穴と、複数の挿入ピンを挿入するための複数の挿入穴とを備えている、請求項１に記載のトリプレート射出成形用金型。
【請求項１１】
交換可能なオス金型コア２および交換可能なメス金型コア５を備えるトリプレート射出成形用金型において、前記固定側取付板６はその外面に、材料注入ヘッド３０を取り付けるための取付穴２０１を有する材料引き出しピン押し板２０をその中に有する凹部６４を形成し；前記固定側取付板６の中心丸穴６３がその周囲に、前記交換可能な鋳造チャネル金型コア７の前記鋳造チャネル用に設けられた複数の材料引き出しピン穴６６を備え、前記各材料引き出しピン穴６６がその穴を通って前記材料引き出しピン６２のいずれか、または主材料引き出しピンが延伸し；前記主材料引き出しピンがその前端に、前記鋳造チャネルの前記射出点に嵌め込まれる楔形先端６２１aを形成し；残りの前記材料引き出しピン６２が前記鋳造チャネルに連絡する残りの前記材料引き出しピン穴６６をふさぐ、請求項１に記載のトリプレート射出成形用金型。
【請求項１２】
交換可能なオス金型コア２および交換可能なメス金型コア５を備えるトリプレート射出成形用金型において、前記材料引き出しピン押し板２０はロックするためにネジ穴を通ってネジが延伸し、前記凹部６４の底面のネジ穴に固定される、請求項１１に記載のトリプレート射出成形用金型。
【考案の詳細な説明】
【技術分野】
【０００１】
本考案は、トリプレート射出成形用金型に関し、特に、交換可能なオス金型コアおよび交換可能なメス金型コアを備える射出成形用金型に関する。
【背景技術】
【０００２】
一般に使用されている従来の射出成形用金型は主に、可動側の金型座および固定側の金型座から成り、固定側の金型座は射出成形機に固定され、一方で可動側の金型座は移動できるように取り付けている。このため可動側の金型座は、その移動方向に沿って固定側の金型座に近づいたり離れたりして、金型連結、材料注入、および金型開放などの生産工程を終えることができる。
【０００３】
射出成形用金型において、オス金型コアは可動側ダイプレートに取り付け、且つ可動側取付板３によって可動側ダイプレートの外側面に接しており；一方でメス金型コアは固定側ダイプレートに取り付け、且つ固定側取付板によって固定側ダイプレートの外面に鋳造チャネル金型開放板を取り付けるために用いる。固定側の金型座は主に、固定側取付板、鋳造チャネル金型開放板、および固定側ダイプレートから成っているため、通常トリプレート射出成形用金型と呼ばれている。
【０００４】
当該のトリプレート射出成形用金型を構成する可動側の金型座の可動側ダイプレートを、金属ワイヤを用いた切削およびNC成形により直接成形し、その中心を掘削してオス金型コアを形成する。固定側の金型座の固定側ダイプレートとメス金型コアも同様に成形加工する。鋳造チャネルは固定側ダイプレートとメス金型コアの間に設けられており、オス金型コアの鋳造チャネルと同じ高さを有している。
【０００５】
設計に際しては、使用者は、オス金型コアとメス金型コアが互いに向かい合うように、可動側の金型座の近くに形成されたオス金型ブロックを、固定側の金型座の近くに形成されたメス金型ブロックの向かい側に配置することができる；また、オス金型コアとメス金型コアのキャビティから形成される空間に溶融プラスチックを流し込み、射出成形品を冷却して仕上げることができる。鋳造チャネルをNCドリリングによって固定側取付板に直接設ける。鋳造チャネルは、射出成形材料が連続的に流れるチャネルであり、位置ずれを変更できる機能を有していない。その結果、金型に注入される熱い溶融プラスチックの射出点が固定され、調整ができない。
【０００６】
鋳造チャネルがNCドリリングによって固定側取付板に直接設けられるため、鋳造チャネルは位置ずれを変更する機能を有しておらず、その結果、金型に注入される熱い溶融プラスチックの射出点が固定され、調整ができない。そのため、他の射出成形品を製造したい場合には、互いに向かい合って配置されるオス金型コアとメス金型コアを含む別の最新のペア金型コア用に金型を開くよう、製造業者に依頼しなければならない；このためには、製造すべき製品の種類が多すぎる場合、使用者は高い設備購入費を支払うことになる。その上、事前に購入した内側押出板および外側押出板や金型座などは、工場において多くの空間を占めるため、改良が必要である。
【考案の開示】
【考案が解決しようとする課題】
【０００７】
前述の射出成形用金型に存在する上記の欠陥を考慮した上で、本考案者は、金型構造をより完全なものにすることを目的として熱心に研究を重ね、たゆまぬ改良を経て、交換可能なオス金型コアおよび交換可能なメス金型コアを備えるトリプレート射出成形用金型を提供するものである。
【課題を解決するための手段】
【０００８】
したがって本考案の目的は；使用者がオス金型コア、支持板、メス金型コア、および交換可能な鋳造チャネル金型コアを購入し、それらを古いものと直接交換して、可動側の金型座および固定側の金型座にロックするだけで済むような、交換可能なオス金型コアおよび交換可能なメス金型コアをトリプレート射出成形用金型に供給することである。その結果、使用者が最新の内側押出板、外側押出板、金型座、および金型などの製作を発注しなくて済み、それにより保管場所を節約できるようになる。一方、固定側の金型座に単独で埋め込むことができる交換可能な鋳造チャネル金型コアを鋳造することができる。この交換可能な鋳造チャネル金型コアは、射出成形材料が連続的に流れるチャネルであり、位置ずれを変更できる機能を有していない。したがって、様々な交換可能な鋳造チャネル金型コアを選択することで、金型に注入される熱い溶融プラスチックの射出点を調整するという目的を達成できる。
【０００９】
上記の目的を達成するために、交換可能なオス金型コアおよび交換可能なメス金型コアを備えるトリプレート射出成形用金型が考案された。そのための方法は次のとおりである：すなわち、固定側ダイプレートは中央に受取り空間を有し、その空間は２つの互いに向かい合う側に交換可能な鋳造チャネル金型コアおよびメス金型コアを備え；可動側ダイプレートは中央に受取り空間を有し、その空間は２つの互いに向かい合う側にオス金型コアおよび支持板を備え、その支持板は外側において、互いに隣接する内側押出板および外側押出板と連結し；可動側取付板３は片側に、上方支持スタブおよび下方支持スタブを中間に有する互いに平行に隔てた２つのブロックを備え、支持板の互いに向かい合う２つの縁部（左縁部および右縁部）を隔てたブロックにそれぞれ接するように、内側と外側の押出板が上方支持スタブと下方支持スタブの間に配置し；交換可能な鋳造チャネル金型を固定側取付板と固定側ダイプレートの間に配置する。
【００１０】
これにより、実施時に使用者は、ネジ（またはピン）を用いてオス金型コアおよび支持板を可動側ダイプレートに取り付けるか、または可動側ダイプレートに取り付けるためにオス金型コアおよび支持板を交換し、且つ、ネジ（またはピン）を用いてメス金型コアおよび交換可能な鋳造チャネル金型コアを固定側ダイプレートに取り付けるか、または固定側ダイプレートに取り付けるためにメス金型コアおよび交換可能な鋳造チャネル金型コアを交換する。さらに、射出圧力を支えることができるように、支持板の互いに向かい合う２つの縁部（左縁部および右縁部）が可動側取付板３の片側において隔てた２つのブロックに接している。さらに、交換可能な鋳造チャネル金型コアはその中に、位置ずれの変更を可能にする連続鋳造チャネルを備えており、その鋳造チャネルは、金型に注入される熱い溶融プラスチックの射出点を変更することができる。
【００１１】
さらに、本考案の固定側取付板の外側に、材料引き出しピンを固定するための材料引き出しピン押し板が取り付けられる。また、様々な鋳造チャネルを備える別の交換可能な鋳造チャネル金型コアを代わりに用いるときに、この引き出しピンを柔軟に使用することができる。
【００１２】
本考案は、添付図面を参考にして本考案の好ましい実施形態の詳細な説明を読むことによって明らかになるであろう。
【００１３】
組立後の本考案の斜視図である図１、図２、および図４を参照すると、主要部分は、固定側取付板６、固定側ダイプレート４、可動側ダイプレート１、および可動側取付板３から成っている。また、鋳造チャネル金型開放板１０が固定側取付板６と固定側ダイプレート４の間に配置されている。
【００１４】
可動側取付板３はその内側に、可動側ダイプレート１の外側にそれぞれ接する、互いに平行に隔てた２つのブロック３１を備えている。
【００１５】
ワイヤ切削およびＮＣ成形の工程において、可動側ダイプレート１が直接掘削されて受取り空間１１が形成される。この受取り空間１１は両側にそれぞれ、オス金型コア２および支持板８を備えている。この支持板８は外側に、互いに隣接する内側押出板８１および外側押出板８２を備えている。さらに、可動側ダイプレート１はその内側の縁部に、複数の支持レール６１が貫通するための複数のスルーホール１２を備えており、側面に複数の水穴１３を備えている。また、固定効果を高めるために複数の挿入ピンＢ１、Ｂ２を挿入するための複数の挿入穴１４を可動側ダイプレート１に備えている。
【００１６】
オス金型コア２は、複数のネジ９１を用いて支持板８に組み合わされ、可動側ダイプレート１の受取空間１１の中に完全に納められる。ネジ９１はオス金型コア２のネジ穴２１を、支持板８の内側の縁部にあるネジ穴８３にロックし、オス金型コア２は側面に、固定効果を高めるために挿入ピンＢ１を挿入するための挿入穴２２を備えている。支持板８は、複数のネジ９２を用いて可動側ダイプレート１の受取り空間１１の外面に組み合わされ、その外面と同一平面を成すようにその中に完全に納められる。支持板８は側面に、挿入ピンＢ２を挿入するための挿入穴８４を備えている。
【００１７】
さらに、可動側取付板３の互いに平行に隔てた２つのブロック３１は中間に、上方支持スタブおよび下方支持スタブ３２、３３を備えており、支持板８の互いに向かい合う２つの縁部（左縁部および右縁部）が、隔てたブロック３１の一方の一部分にそれぞれ接するように（図３を参照）、内側押出板および外側押出板８１、８２を上方支持スタブと下方支持スタブ３２、３３の間に配置している。隔てたブロック３１は、支持レール６１を通すための複数のスルーホール３１１を備えている。
【００１８】
また、固定側ダイプレート４は内側の縁部に、支持レール６１が貫通するための複数のスルーホール４２を備えており、さらに側面に、複数の水穴４３と温度感受性を有する挿入穴４４、および／または固定の効果を高めるために複数の挿入ピンＢ３、Ｂ４を挿入するための複数の挿入穴４６を備えている。固定側ダイプレート４は中央に受取空間４１を有しており、その空間４１は２つの互いに向かい合う側に、交換可能な鋳造チャネル金型コア７およびメス金型コア５を備えている。
【００１９】
固定側取付板６はその上に、鋳造チャネル金型開放板１０、固定側ダイプレート４、可動側ダイプレート１、および可動側取付板３の中を延伸する支持レール６１を備えている。固定側取付板６は、材料引き出しピン６２を挿入するための複数の材料注入穴を備えている（図４を参照）。固定側取付板６は、その中に材料注入ヘッドを延伸させるための中心丸穴６３を有している。
【００２０】
メス金型コア５は、複数のネジ９３によって交換可能な鋳造チャネル金型コア７に組み合わされ、受取空間４１の中に完全に納められる。ネジ９３は例えば、メス金型コア５の内側の縁部にある隅ネジ穴５１を、交換可能な鋳造チャネル金型コア７の複数のネジ穴７１にロックするために用いる。また、固定効果を高めるために別の挿入ピンＢ３を挿入するための挿入穴５２を設けている。
【００２１】
交換可能な鋳造チャネル金型コア７は、ネジ穴４５に延入する複数のネジ９４を用いて受取空間４１に組み合わされ、それと同一平面を成すようにその中に完全に納められる。あるいは、交換可能な鋳造チャネル金型コア７は側面に、固定効果をさらに高めるために挿入ピンＢ４を挿入するための挿入穴７３を備えている。さらに、固定側ダイプレート４内の交換可能な鋳造チャネル金型コア７と固定側取付板６には、間に鋳造チャネル金型開放板１０を挟むように配置している。
【００２２】
鋳造チャネル金型開放板１０は内側の縁部に、支持レール６１が貫通するための複数のスルーホール１０１を備えている。金型開放時に、製造される製品が注入口から残りの材料を抽出することができるように、鋳造チャネル金型開放板１０は、その中に固定側取付板６の材料引き出しピン６２が延伸する内側を有している。鋳造チャネル金型開放板１０はその中央に、材料注入ヘッドを延伸させるための中心丸穴を備えている。
【００２３】
オス金型コア２が非常に強い圧力にさらされるという事実により、図３に示したように、支持板８の互いに向かい合う２つの縁部（左縁部および右縁部）が、隔てた２つのブロック３１にそれぞれ接し、隔てた２つのブロック３１間の幅が支持板８の幅よりも狭いため、支持板８の互いに向かい合う２つの縁部と、隔てた２つのブロックが、射出圧力を支えるための接触域（Ａ）を形成する。
【００２４】
図１から縦方向に取った断面図の図４に示したように、接触域（Ａ）により支えられる射出圧力は、当該の支えを可能にするために、可動側ダイプレート１および固定側ダイプレート４の材料の硬度が好ましくは２０ｋｇ／ｃｍ２〜２００ｋｇ／ｃｍ２の範囲内であることを要求する。
【００２５】
金型に注入する熱い溶融プラスチックの射出点を変えるために、交換可能な鋳造チャネル金型コア７はその中に新しい代替鋳造チャネル７２を備えており、その鋳造チャネル７２は、鋳造チャネル金型開放板１０から延伸する材料引き出しピン６２と連携して、製品の成形後に鋳造チャネル７２における残留材料を金型から除去しやすくする。
【００２６】
さらに、オス金型コア２およびメス金型コア５は交換可能であるため、製造される様々な製品に応じて様々な鋳造チャネル７２を使用できる。また、固定側取付板６の材料引き出しピン６２を移動しなければならないこともある。このような状況に備えて、本考案の固定側取付板６は、材料引き出しピン６２を調整可能になるように連携して設計している。
【００２７】
図６を参照すると、固定側取付板６の外面に、材料注入ヘッドを取り付けるための取付穴２０１を有する材料引き出しピン押し板２０がその中に配置される凹部を形成している。材料引き出しピン押し板２０は、ロックするためにネジ穴２０２を通ってネジ９５が延伸し、凹部６４の底面のネジ穴６５に固定する。固定側取付板６の中心丸穴６３は周囲に、交換可能な鋳造チャネル金型コア７の鋳造チャネル７２用に設けられた複数の材料引き出しピン穴６６を備えており、それぞれの材料引き出しピン穴６６を通って材料引き出しピンのいずれか、または主材料引き出しピン６２１が延伸することができる。主材料引き出しピン６２１の前端に、鋳造チャネル７２の射出点に嵌め込まれる楔形先端６２１ａを形成する（メス金型コア５において鋳造チャネル７２が延伸する位置の方に向いて）；残りの材料引き出しピン６２は、鋳造チャネル７２に連絡する材料引き出しピン穴６６をふさぐ。
【００２８】
材料注入ヘッド３０を材料引き出しピン押し板２０の取付穴２０１に取り付けて、交換可能な鋳造チャネル金型コア７の鋳造チャネル７２につながっている。これにより、注入される材料をオス金型コア２およびメス金型コア５に注入することができる。射出成形用金型を開放する際、主材料引き出しピン６２１の楔形先端６２１ａが鋳造チャネル７２に嵌め込まれるという事実により、次回の材料注入に有利なように、鋳造チャネル７２の残留材料を鋳造チャネル７２から抽出することができる。
【００２９】
当該の構成であるため、オス金型コア２およびメス金型コア５をもっと簡単に交換することができる。
【００３０】
結論として、上記で開示された説明によれば、従来の射出成形用金型に比べ、本考案では、互いに組み合せるための各種のオス金型コア、メス金型コア、および交換可能な鋳造チャネル金型コアを購入するだけで済む。これにより、余剰の金型を保管する空間を節約でき、金型の設計、製造、および再開放の支出を削減できるという利点が発生し得る。さらに、連続的な材料注入が可能なだけでなく、位置ずれを変更して、金型に注入される熱い溶融プラスチックの射出点を調整できる。したがって、本考案は効果の大きい優れた考案であり、これまで公開されたことも公然と使用されたこともない。実用性および改良に関して本考案の技術的骨組みをこのように説明してきたが、本考案者が新規なものとして請求し、米国の特許証によって保護されることを希望するのは以下のことである。
【図面の簡単な説明】
【００３１】
【図１】組立後の本考案の斜視図である。
【図２】本考案の図１に示した実施形態の開放斜視図である。
【図３】支持板の互いに向かい合う２つの縁部（左縁部および右縁部）が、隔てたブロックにそれぞれ接していることを示す、本考案の部分拡大略図である。
【図４】図１から縦方向に取った断面図である。
【図５】図４の「Ｂ」部分の拡大断面図である。
【図６】本考案の固定側取付板の別の実施形態の開放斜視図である。
【図７】本考案の図６に示した別の実施形態の断面図である。
【符号の説明】
【００３２】
１    可動側ダイプレート
２    オス金型コア
３    可動側取付板
４    固定側ダイプレート
５    メス金型コア
６    固定側取付板
７    交換可能な鋳造チャネル金型コア
８    支持板
１０    鋳造チャネル金型開放板
１１    受取り空間
１２    スルーホール
１３    水穴
１４    挿入穴
２０    材料引き出しピン押し板
２１    ネジ穴
２２    挿入穴
３０    材料注入ヘッド
３１    ブロック
３２    上方支持スタブ
３３    下方支持スタブ
４１    受取り空間
４２    スルーホール
４３    水穴
４４    温度感受性を有する挿入穴
４５    ネジ穴
４６    挿入穴
５１    隅ネジ穴
５２    挿入穴
６１    支持レール
６２    材料引き出しピン
６３    中心丸穴
６４    凹部
６５    ネジ穴
６６    材料引き出しピン穴
７１    ネジ穴
７２    代替鋳造チャネル、鋳造チャネル
７３    挿入穴
８１    内側押出板
８２    外側押出板
８３    ネジ穴
８４    挿入穴
９１    ネジ
９２    ネジ
９３    ネジ
９４    ネジ
９５    ネジ
１０１  スルーホール
２０１  取付穴
２０２  ネジ穴
３１１  スルーホール
６２１  主材料引き出しピン
６２１ａ    楔形先端
Ａ      接触域
Ｂ１    挿入ピン
Ｂ２    挿入ピン
Ｂ３    挿入ピン
Ｂ４    挿入ピン
【図１】
0003137895.tif 000003
【図２】
0003137895.tif 000004
【図３】
0003137895.tif 000005
【図４】
0003137895.tif 000006
【図５】
0003137895.tif 000007
【図６】
0003137895.tif 000008
【図７】
0003137895.tif 000009